(57)【要約】      （修正有）【課題】モジュール化した太陽電池を提供する。【解決手段】太陽電池１０は主に基板１００において複数個の球状型電力部１１０、及び、電力部１１０に組み合わされる集光部１２０を具備し、電力部１１０は主にｐ型半導体１１２、及び、ｎ型半導体１１４を含み、ｎ型半導体１１４がｐ型半導体１１２の表面に被装されることで、集光部１２０が外部光線を電力部１１０のｎ型半導体１１４表面に集めることができる。その特徴は、基板１００の一端縁に第１電気ユニットを具え、第１電気接続ユニットとｐ型半導体１１２が電気的に接続し、基板１００の第１電気接続ユニットの対向する端縁に第２電気接続ユニットを具え、第２電気接続ユニットとｎ型半導体１１４が電気的に接続することで、モジュール化した構造を形成する。【選択図】図１
0003144075.tif 000002
【実用新案登録請求の範囲】
【請求項１】
太陽電池は主に基板において複数個の球状型電力部、及び、前記電力部に組み合わされる集光部を具備し、前記電力部は主にｐ型半導体、及び、ｎ型半導体を含み、前記ｎ型半導体は前記ｐ型半導体の表面に被装されることで、前記集光部が外部光線を前記電力部のｎ型半導体表面に集めることができるモジュール化した太陽電池において、
前記基板の一端縁に第１電気ユニットを具え、前記第１電気接続ユニットと前記ｐ型半導体が電気的に接続し、前記基板の前記第１電気ユニットの対向する端縁に第２電気接続ユニットを具え、前記第２電気接続ユニットと前記ｎ型半導体が電気的に接続することを特徴とする、モジュール化した太陽電池。
【請求項２】
請求項１記載のモジュール化した太陽電池において、各前記両基板間の接続はいずれかの前記基板の第１電気接続ユニットともう１つの前記基板の第２電気接続ユニットの接続部が直列接続する態様を形成することを特徴とする、モジュール化した太陽電池。
【請求項３】
請求項２記載のモジュール化した太陽電池において、前記基板と前記基板間の接合は超音波ボンディングを利用することを特徴とする、モジュール化した太陽電池。
【請求項４】
請求項１記載のモジュール化した太陽電池において、前記集光部の材質は主に導電可能な材質からなり、且つ、前記集光部が前記ｎ型半導体の表面と接触し、並びに、前記第２電気接続ユニットと前記集光部が電気的に接続することを特徴とする、モジュール化した太陽電池。
【請求項５】
請求項４記載のモジュール化した太陽電池において、前記基板と前記電力部の間に第１導電板を挟持し、且つ、前記電力部のｐ型半導体と前記第１導電板が電気的に接続し、並びに、前記第１電気接続ユニットと前記第１導電板が電気的に接続することを特徴とする、モジュール化した太陽電池。
【請求項６】
請求項５記載のモジュール化した太陽電池において、前記第１導電板の材質が主にアルミ金属材質であることを特徴とする、モジュール化した太陽電池。
【請求項７】
請求項１記載のモジュール化した太陽電池において、各前記基板の電力部が２ワットより大きいことを特徴とする、モジュール化した太陽電池。
【請求項８】
請求項１記載のモジュール化した太陽電池において、前記集光部が円弧状を呈することを特徴とする、モジュール化した太陽電池。
【請求項９】
請求項１記載のモジュール化した太陽電池において、さらに前記基板に第３電気接続ユニット、第４電気接続ユニット、及び、電気制御ユニットを有し、前記第３電気接続ユニットが前記第１電気接ユニットのそばに設けられ、並びに、前記ｐ型半導体と電気的に接続し、前記第４電気接続ユニットが前記第２電気接続ユニットのそばに設けられ、並びに、前記ｎ型半導体と電気的に接続し、前記電気制御ユニットが主に選択的に前記第１電気接続ユニットと前記第３電気接続ユニットのいずれかをオン、別をオフに制御し、また、選択的に前記第２電気接続ユニットと前記第４電気接続ユニットのいずれかをオン、別もオフに制御することを特徴とする、モジュール化した太陽電池。
【請求項１０】
請求項９記載のモジュール化した太陽電池において、各前記両基板間の接続はいずれかの前記基板の第１電気接続ユニット、或いは、前記第３電気接続ユニットともう１つの前記基板の第２電気接続ユニット、または、前記第４電気接続ユニットとの接続部が直列接続する態様を形成することを特徴とする、モジュール化した太陽電池。
【請求項１１】
請求項１０記載のモジュール化した太陽電池において、前記基板と前記基板間の接合が超音波ボンディングを利用することを特徴とする、モジュール化した太陽電池。
【請求項１２】
請求項９記載のモジュール化した太陽電池において、前記集光部の材質は主に導電可能な材質からなり、且つ、前記集光部が前記ｎ型半導体の表面と接触し、並びに、前記第２電気接続ユニット、及び、前記第４電気接続ユニットが前記集光部と電気的に接続することを特徴とする、モジュール化した太陽電池。
【請求項１３】
請求項１２記載のモジュール化した太陽電池において、前記基板と前記電力部の間に第１導電板を挟持し、且つ、前記電力部のｐ型半導体と前記第１導電板が電気的に接続し、並びに、前記第１電気接続ユニットと前記第１導電板が電気的に接続することを特徴とする、モジュール化した太陽電池。
【請求項１４】
請求項１３記載のモジュール化した太陽電池において、前記第１導電板の材質は主にアルミ金属材質であることを特徴とする、モジュール化した太陽電池。
【考案の詳細な説明】
【技術分野】
【０００１】
本考案は、モジュール化した太陽電池に関り、特に、１つのモジュール化の態様とする太陽電池の構造の設計に関する。
【背景技術】
【０００２】
太陽エネルギーは、すでに世間から大いに嘱目され、且つ最も普遍的なエコエネルギーであり、現在ヨーロッパ政府の補助金政策とアメリカカリフォルニア州において百万のソーラー屋根イニシアティブの奨励金を誘致、促進のもと、結晶系シリコン太陽電池（Ｃｒｙｓｔａｌｌｉｎｅ Ｓｉｌｉｃｏｎ Ｓｏｌａｒ Ｃｅｌｌ）の需要が大幅に増加することなり、多結晶シリコン材料の供給不足という状況において、現在結晶系シリコン太陽電池の原料が著しく品切れという状況に直面している。また同様にシリコンを主な光電変換材料とする薄膜シリコン太陽電池は、原材・資材不足という心配が無く、及び構造建材上へ使用するに当たり統合、応用でき、且つ光電エネルギー変換効率において、環境温度、照度の要素による影響に伴って明らかに降下することがないという長所を持ち、徐々に各メーカの注目を引き、次々と該分野への技術研究と発展に取り組んでいる。
【０００３】
しかしながら、本考案の考案者は該太陽電池を使用した時、消費者の使用に不便だという状況が判明し、これにより、この研究に取り組み改良することで本考案に発展させた。
【考案の開示】
【考案が解決しようとする課題】
【０００４】
本考案は、モジュール化した太陽電池に関り、主にモジュール化の態様とする太陽電池構造の設計を目的とする。
【課題を解決するための手段】
【０００５】
本考案は、モジュール化した太陽電池に関り、該太陽電池は主に基板において複数個の球状型電力部及び該電力部に組み合わされる集光部を具備し、該電力部は主にｐ型半導体及びｎ型半導体を含み、該ｎ型半導体は該ｐ型半導体の表面に被装されることで、該集光部が外部光線を該電力部のｎ型半導体表面に集めることができる。その特徴は該基板の一端縁に第１電気ユニットを具え、該第１電気接続ユニットと該ｐ型半導体が電気的に接続し、該基板の該第１電気ユニットの対向する端縁に第２電気接続ユニットを具え、該第２電気接続ユニットと該ｎ型半導体が電気的に接続することで、モジュール化の状態を形成することにある。
【０００６】
当該技術を熟知する者に本考案の目的、特徴及び効果について理解してもらうため、下記の具体的な実施例を介し付属の図面を組み合わせることで、本考案に対する詳細な説明を後記のとおり行うものである。
【０００７】
図１に示すものを参照すると、図１は本考案の第１好ましい実施例の一部断面の見取図で、本考案はモジュール化した太陽電池に関り、該太陽電池１０は主に基板１００において複数個の球状型電力部１１０及び該電力部１１０に組み合わされる集光部１２０を具え、該集光部１２０の材質は主に導電可能な材質からなり、且つ円弧型を呈現する。該電力部１１０は主にｐ型半導体１１２及びｎ型半導体１１４を含み、且つ該基板１００と該電力部１１０間に第１導電板１３０を挟持し、並びに該電力部１１０のｐ型半導体１１２と該第１導電板１３０が電気的に接続する。該第１導電板１３０の材質が主にアルミ金属材質で、該ｎ型半導体１１４が該ｐ型半導体１１２の表面に被装される。該集光部１２０が外部光線を該電力部１１０のｎ型半導体１１４表面に集めることができる。以下に本考案の実施例を詳細に説明する。
【０００８】
図２及び図３に示すところを参照すると、図２は本考案の第１好ましい実施例の立体図で、図３が本考案の第１好ましい実施例の回路図で、前述の基板１００の一端縁に第１電気接続ユニット１４０を具え、該第１電気接続ユニット１４０と第１導電板１３０が電気的に接続し、該基板１００の該第１電気接続ユニット１４０の対向する端縁に第２電気接続ユニット１５０を具え、該第２電気接続ユニット１５０と該ｎ型半導体１１４が電気的に接続することで、本考案のモジュール化した構造を完成する。該太陽電池１０の電力部１１０が受光した時、該集光部１２０が光線を集めて該電力部１１０の表面に照射でき、この場合該電力部１１０を構成する該ｐ型半導体１１２及び該ｎ型半導体１１４内に含まれる正負の電子が分かれて移動する。該正電子が該ｐ型半導体に集まり、該負電子が該ｎ型半導体に集まることで、電力の供給があり、各該基板１００の電力が２ワットより大きくなることができる。
【０００９】
図４に示すところを参照すると、図４は本考案の第１好ましい実施例の組立図で、前述で本考案のモジュール化した構造を完成したため、各該両基板１００間の接続は該基板１００の第１電気接続ユニット１４０ともう１つの該基板１００の第２電気接続ユニット１５０との接合部が直列接続する態様を形成する。該基板１００と該基板１００間の接合が超音波などの方法によりボンディングするため、消費者が簡単に直列接続を完成させることができる。
【００１０】
図５に示すところを参照すると、図５は本考案の第２好ましい実施例の一部断面の見取図で、本考案はモジュール化した太陽電池に関り、該太陽電池１０は主に基板１００において複数個の球状型電力部１１０及び該電力部１１０に組み合わされる集光部１２０を具え、該集光部１２０の材質は主に導電可能な材質からなり、且つ円弧型を呈現する。該電力部１１０は主にｐ型半導体１１２及びｎ型半導体１１４を含み、且つ該基板１００と該電力部１１０間に第１導電板１３０を挟持し、並びに該電力部１１０のｐ型半導体１１２と該第１導電板１３０が電気的に接続する。該第１導電板１３０の材質が主にアルミ金属材質で、該ｎ型半導体１１４が該ｐ型半導体１１２の表面に被装される。該集光部１２０が外部光線を該電力部１１０のｎ型半導体１１４表面に集めることができる。以下に本考案の実施例を詳細に説明する。
【００１１】
図６及び図７に示すところを参照すると、図６は本考案の第２好ましい実施例の立体図で、図７が本考案の第２好ましい実施例の回路図で、前述の基板１００の一端縁に第１電気接続ユニット１４０を具え、該第１電気接続ユニット１４０と第１導電板１３０が電気的に接続し、該基板１００の該第１電気接続ユニット１４０の対向する端縁に第２電気接続ユニット１５０を具え、該第２電気接続ユニット１５０と該ｎ型半導体１１４が電気的に接続する。さらに該基板１００に第３電気接続ユニット１６０、第４電気接続ユニット１７０及び電気制御ユニット１８０を有し、該第３電気接続ユニット１６０が該第１電気接ユニット１４０のそばに設けられ、並びに該第１導電板１３０と電気的に接続し、該第４電気接続ユニット１７０が該第２電気接続ユニット１５０のそばに設けられ、並びに該ｎ型半導体１１４と電気的に接続し、該電気制御ユニット１８０が主に選択的に該第１電気接続ユニット１４０と該第３電気接続ユニット１６０のいずれかをオン、別をオフに制御し、また選択的に該第２電気接続ユニット１５０と該第４電気接続ユニット１７０のいずれかをオン、別もオフに制御することで、本考案のモジュール化した構造を完成する。該太陽電池１０の電力部１１０が受光した時、該集光部１２０が光線を集めて該電力部１１０の表面に照射でき、この場合該電力部１１０を構成する該ｐ型半導体１１２及び該ｎ型半導体１１４内に含まれる正負の電子が分かれて移動する。該正電子が該ｐ型半導体に集まり、該負電子が該ｎ型半導体に集まることで、電力の供給があり、各該基板１００の電力が２ワットより大きくなることができる。
【００１２】
図８に示すところを参照すると、図８は本考案の第２好ましい実施例の組立図で、前述で本考案のモジュール化した構造を完成したため、各該両基板１００間の接続は該基板１００の第１電気接続ユニット１４０または該第３電気接続ユニット１６０ともう１つの該基板１００の第２電気接続ユニット１５０或いは該第４電気接続ユニット１７０との接合部が直列接続する態様を形成する。該基板１００と該基板１００間の接合が超音波などの方法によりボンディングするため、消費者が簡単に直列接続を完成させることができる。
【００１３】
以上、本考案を詳細に説明したが、以上の述べるものは本考案のいずれかの好ましい実施例のみであって、本考案の実施範囲に限定されることなく、本考案の請求範囲に基づいて行う種々の改良変更をなし得ることは本考案の実用新案登録請求の範囲内に含めるものであるのが勿論である。
【図面の簡単な説明】
【００１４】
【図１】本考案の第１好ましい実施例の一部断面の見取図である。
【図２】本考案の第１好ましい実施例の立体図である。
【図３】本考案の第１好ましい実施例の回路図である。
【図４】本考案の第１好ましい実施例の組立図である。
【図５】本考案の第２好ましい実施例の一部断面の見取図である。
【図６】本考案の第２好ましい実施例の立体図である。
【図７】本考案の第２好ましい実施例の回路図である。
【図８】本考案の第２好ましい実施例の組立図である。
【符号の説明】
【００１５】
１０  太陽電池
１００  基板
１１０  電力部
１１２  ｐ型半導体
１１４  ｎ型半導体
１２０  集光部
１３０  第１導電板
１４０  第１電気接続ユニット
１５０  第２電気接続ユニット
１６０  第３電気接続ユニット
１７０  第４電気接続ユニット
１８０  電気制御ユニット
【図１】
0003144075.tif 000003
【図２】
0003144075.tif 000004
【図３】
0003144075.tif 000005
【図４】
0003144075.tif 000006
【図５】
0003144075.tif 000007
【図６】
0003144075.tif 000008
【図７】
0003144075.tif 000009
【図８】
0003144075.tif 000010